(57)【要約】【課題】光を放つ照明効果を有し、蛍光層の図案によってライトを美化し、ブランドマークを表示し、ライトオフ状態か停電の場合であっても、該蛍光層の発光図案が暗闇の中で方位を示す役割を果たすことを特徴とする発光源体を提供する。【解決手段】本考案の発光源体において、該発光源体は内壁面、外壁面、及び電極により構成される。前記発光源体の外壁面の適当位置には、蛍光粉で形成される一層の蛍光層を備え、蛍光粉による吸光後、蛍光層は発光する。蛍光層は、塗料及び蛍光粉で組成され、並びに、発光源体の外壁面の可視角範囲位置に設けてあり、ライトオフ状態か停電等の緊急時、暗闇の中で方向表示を提供し、また、ブランドマークの表示が可能であり広告效果を達成し、環境美化効果をも備える。【選択図】  図２
0003145704.tif 000002
【実用新案登録請求の範囲】
【請求項１】
発光源体において、該発光源体は内壁面、外壁面、及び電極により構成され、
前記の発光源体の外壁面の適当位置には、蛍光粉で形成される一層の蛍光層を備え、蛍光粉による吸光後、蛍光層は発光することを特徴とする発光源体。
【請求項２】
前記発光源体は蛍光灯管とし、内壁面及び外壁面により構成される中空体は、長い棒状を成しており、電極はその左右の両端位置に装着され、しかも、蛍光層は、発光源体の可視角範囲を２４０°とする位置に設置し、また、前記可視角は、蛍光灯管の中心を０°として左右方向にそれぞれ１２０°広がることを特徴とする請求項１記載の発光源体。
【請求項３】
前記発光源体は電球とし、内壁面及び外壁面により構成される中空体は、円弧形状を成しており、電極はその適当な平面中心の両辺位置に装着され、しかも、蛍光層は、発光源体の可視角範囲を２４０°とする位置に設置し、また、前記可視角は、電球の円弧中心を０°として左右方向にそれぞれ１２０°広がることを特徴とする請求項１記載の発光源体。
【請求項４】
発光源体において、該発光源体は内壁面、外壁面、及び電極により構成され、
前記の発光源体の外壁面の適当位置には、蛍光粉で形成される一層の蛍光層を備え、しかも蛍光層は、発光源体の可視角範囲を２４０°とする位置に設置し、蛍光粉による吸光後、蛍光層は発光することを特徴とする発光源体。
【請求項５】
前記発光源体は蛍光灯管とし、内壁面及び外壁面により構成される中空体は長い棒状を成しており、電極はその左右の両端位置に装着され、しかも、可視角は、蛍光灯管の中心を０°として左右方向にそれぞれ１２０°広がることを特徴とする請求項４記載の発光源体。
【請求項６】
前記発光源体を電球とし、内壁面及び外壁面により構成される中空体は、円弧状を成しており、電極はその適当な平面中心の両辺位置に装着され、しかも、可視角は、電球の円弧中心を０°として左右方向にそれぞれ１２０°広がることを特徴とする請求項４記載の発光源体。
【請求項７】
前記蛍光層の延伸方向と中空体の延伸方向は平行することを特徴とする請求項２もしくは５記載の発光源体。
【請求項８】
前記蛍光層は塗料及び蛍光粉を含み、該塗料及び蛍光粉の組成比率は1：0.15から1：0.55を範囲とすることを特徴とする請求項１もしくは４記載の発光源体。
【考案の詳細な説明】
【技術分野】
【０００１】
本考案は、発光源体に関するものであり、該発光源体は光を放つ照明効果を有し、蛍光層の図案によってライトを美化し、並びにブランドマークを表示しており、ライトオフ状態か停電の場合であっても、該蛍光層の発光図案が暗闇の中で方位を示す役割を果たす。
【背景技術】
【０００２】
公知のライトは、人々の夜間生活に便宜を図るものであり、ライト照明によって、夜間活動は更に便利になり、生活に更に豊かな彩りを添える。
【０００３】
早期のライトの大部分は、タングステンを備えた電球を使用していたが、エネルギーコストの高騰、及び、政府によるエネルギー節約政策推進を受けて、現在、大部分の人は、蛍光灯管を用いて四面八方に照射し、更にライトの反射を組み合わせて光線を照明したい箇所に照射する蛍光灯を照明用具に使っている。
【考案の開示】
【考案が解決しようとする課題】
【０００４】
しかし、蛍光灯の構造は、蛍光灯管２の内表面２１に一層の蛍光物質２２を塗布し、蛍光灯管の水銀原子２３により気体放電の過程において紫外光を放出するもので、蛍光物質を備える蛍光灯管によって、直接、蛍光灯を形成する。また、公知の蛍光灯管もしくは電球上にはＬＯＧＯ、文字、注意事項等が一般にはインク印刷されているが、電源通電時または光線充足時に見えるだけであり単一機能しか持たない。よって、公知の蛍光灯管または電球は電源通電時、照明のみの提供となり、その他の効果を備えていない。
【課題を解決するための手段】
【０００５】
本考案の主な目的は、照明を提供することにあり、それは、電源オフ状態や停電時であっても暗い所で方向表示を提供し、並びに、ブランドマークを表現し、環境美化効果を備え、停電時には緊急避難方向を示す発光源体である。
【０００６】
前述の目的を達成する為、本考案の「発光源体」は、内壁面、外壁面、及び電極により構成される。前記の外壁面の適当位置には、蛍光粉で形成される一層の蛍光層を備え、蛍光粉で吸光された後、蛍光層は発光する。蛍光層は、最良比率で組み合わされた塗料及び蛍光粉である。塗料及び蛍光粉の組成比率は、１：0.15から1：0.55までの範囲とする。また、蛍光層の発光源体に設けた可視角の範囲は240°位置であり、ライトオフ状態か停電等の緊急時、暗闇の中であっても方向表示、及び避難指示機能を提供でき、更に、ブランドマークの表示も可能で広告效果を達成し、環境美化効果をも備える。
【考案の効果】
【０００７】
本考案の発光源体は、電源オフ状態や停電時であっても暗い所で方向表示を提供し、並びに、ブランドマークを表現し、環境美化効果を備え、停電時には緊急避難方向を示す発光源体であることを特徴とする。
【考案を実施するための最良の形態】
【０００８】
貴庁審査委員の方々に本考案の構造、及び全体の動作方式を御理解戴く為に、図面を組み合わせ下記の通り説明を施す。
【実施例１】
【０００９】
本考案の「発光源体」において、該発光源体１は、内壁面１１、外壁面１２、及び電極１３を含む。図２の実施例１に示す通り、該発光源体１は蛍光灯管を例としたものであり、内壁面１１及び外壁面１２により中空体１５を形成している。中空体１５はホウ砂ガラス、ナトリウムカルシウムガラス、石英材料の何れかにより作製され、中空体１５は長い棒状とし、左右の両端位置にはそれぞれ電極１３を装着する。
【実施例２】
【００１０】
また、発光源体１が電球である時、図３の実施例２に示す通り、該中空体１５は円弧状であり、その適当な平面中心の両辺位置にはそれぞれ電極１３を装着し、電極１３と蛍光灯台を接続導電した後、発光照明が可能となる。
【００１１】
本考案における特徴は次の通りである。発光源体１の外壁面１２の適当位置に最低一つの蛍光層１４を設け、該蛍光層１４は塗料及び蛍光粉を含み、該塗料と蛍光粉の組成比率は1：0.15から1：0.55の範囲とし、また、蛍光層１４は塗り付けまたは貼り付けによって外壁面１２上に形成され、しかも、蛍光層１４は、発光源体１の可視角（θ）範囲に設けられる。図６及び図７に示す通り、発光源体が蛍光灯管である時、蛍光層１４は、可視角（θ）範囲を２４０°とする位置に設置し、また、θは、蛍光灯管の中心を０°として左右方向に１２０°広がる角度であり、並びに、蛍光層１４の延伸方向と中空体１５の延伸方向は平行する。また、図８に示す通り、発光源体が電球である時、蛍光層１４は可視角（θ）範囲を２４０°とする位置に設置し、θは、電球の円弧中心を０°として左右方向にそれぞれ１２０°広がる角度であり、蛍光層１４は指標、文字、符合、図案等にすることが可能である。図４に示す実施例の通り、蛍光層１４は公司名称や商標文字とすることが可能である。また図５に示す通り、蛍光層１４を避難指標とすることも可能である。
【００１２】
一般には発光源体１を通電使用する場合、蛍光層１４の蛍光剤は発光源体１の発する光線を吸収し、発光源体１を通電しない場合、蛍光層１４の蛍光剤は外界の光線（例えば太陽の光やその他光源の光線）を吸収する。また、火災や地震等の災害が発生して停電した場合であっても、蛍光層１４は暗闇の環境下において発光し、緊急避難の方向表示となり導引する効果を発揮する。また、蛍光層１４を立体デザインの標識図案とすることも可能であり、ブランドマークの表示や広告効果を達成し、環境美化効果を兼ね備えることも可能である。
【００１３】
前述した通り、本考案は公知の発光源体とは別の実施可能な発光源体を提供するものであり、ここに法に依拠し実用新案の出願を行う。但し、以上の実施例の説明及び図面に示したものは本考案の良好な実施例を示すだけであり、これによって本考案を制限するものではなく、本考案の構造、装置、特徴等に近似もしくは同様のものは全て、本案の考案目的及び実用新案登録請求の範囲内に含まれるものとする。
【図面の簡単な説明】
【００１４】
【図１】公知の蛍光灯管の構造図。
【図２】本考案の実施例１における発光源体の断面図。
【図３】本考案の実施例２における発光源体の断面図。
【図４】本考案の実施例１における発光源体の構造図。
【図５】本考案の実施例２における発光源体の構造図。
【図６】本考案の実施例１における発光源体の立体図。
【図７】本考案の実施例１における発光源体の蛍光層塗布設置図。
【図８】本考案の実施例２における発光源体の蛍光層塗布設置図。
【符号の説明】
【００１５】
１      発光源体
１１    内壁面
１２    外壁面
１３    電極
１４    蛍光層
１５    中空体
２      蛍光灯管
２１    内表面
２２    蛍光物質
２３    水銀原子
３      蛍光灯台
【図１】
0003145704.tif 000003
【図２】
0003145704.tif 000004
【図３】
0003145704.tif 000005
【図４】
0003145704.tif 000006
【図５】
0003145704.tif 000007
【図６】
0003145704.tif 000008
【図７】
0003145704.tif 000009
【図８】
0003145704.tif 000010